(57)【要約】      （修正有）【課題】ＩＤタグの消火器に対する取り付けが簡単で、腐食性の高い排気ガスや埃などに対する耐久性を確保し、更に、良好な電波特性を確保可能とするトンネル消化装置を提供する。【解決手段】消火器６０を収納した筐体前面に消火器扉２８を備えたトンネル消火器装置としての例えばトンネル消火栓装置１０において、消火器６０に設けられた電磁波を通過させる透明な電磁波通過窓３０と、消火器６０に識別情報を記憶したタグをタグカバー内に収納した状態で固定部材により電磁波通過窓３０を臨む位置に着脱自在に取り付けたタグ装置５０とを設け、トンネル内を走行する車両に搭載したリーダから消火器６０のタグから情報を読み取って消火器の有無を確認する。【選択図】図２
2011224034.tif 000002
【特許請求の範囲】
【請求項１】
消火器を収納した筐体前面に消火器扉を備えたトンネル消火器装置に於いて、
前記消火器に設けられた電磁波を通過させる電磁波通過窓と、
前記消火器に、識別情報を記憶したタグをタグカバー内に収納した状態で固定部材により電磁波通過窓付近の位置に着脱自在に取り付けたタグ装置と、
を設けたことを特徴とするトンネル消火器装置。
【請求項２】
請求項１に記載のトンネル消火器装置に於いて、
前記固定部材は、前記タグカバーの上部と下部に設けた紐状の弾性体タグバンドであり、前記タグバンドを、前記消火器に回して前記タグを固定すること、
を特徴とするトンネル消火器装置。
【請求項３】
請求項１に記載のトンネル消火器装置に於いて、
前記タグカバーと前記固定部材は熱収縮フィルムであり、熱により前記熱収縮フィルムを収縮させることにより、前記タグのカバーと前記タグの前記消火器への取り付けを行うこと、
を特徴とするトンネル消火器装置。
【請求項４】
請求項１に記載のトンネル消火器装置に於いて、
前記固定部材は、前記消火器の蓋の下部にある前記消火器本体の首部に掛ける取付部と前記タグを取り付けるシート状の平面部とを備えていること、
を特徴とするトンネル消火器装置。
【請求項５】
請求項１に記載のトンネル消火器装置に於いて、
前記固定部材は、前記消火器の蓋の下部にある前記消火器本体の首部に取り付ける弾性体のバンドであること、
を特徴とするトンネル消火器装置。
【請求項６】
請求項１に記載のトンネル消火器装置に於いて、
前記固定部材は、前記消火器に取り付ける剛性体の取付部と、手で握ることができる剛性体のハンドル部と、前記タグを取り付けるタグ取付部とを備えたこと、
を特徴とするトンネル消火器装置。
【請求項７】
筐体前面に電磁波通過窓を有する消火器扉を備えた消火器装置に収納される消火器に設けるタグ装置に於いて、
前記消火器の識別情報を記憶したタグと、
前記タグを埋込状態で収納するタグカバーと、
前記タグカバーに収納された前記タグを、前記電磁波通過窓付近の位置に着脱自在に取り付ける固定部材と、
を備えたことを特徴とするタグ装置。
【請求項８】
請求項７に記載のタグ装置に於いて、
前記固定部材は、前記タグカバーの上部と下部に設けた紐状の弾性体タグバンドであり、前記タグバンドを、前記消火器に回して前記タグを固定すること、
を特徴とするタグ装置。
【請求項９】
請求項７に記載のタグ装置に於いて、
前記タグカバーと前記固定部材は熱収縮フィルムであり、熱により前記熱収縮フィルムを収縮させることにより、前記タグのカバーと前記タグの前記消火器への取り付けを行うこと、
を特徴とするタグ装置。
【請求項１０】
請求項７に記載のタグ装置に於いて、
前記固定部材は、前記消火器の蓋の下部にある前記消火器本体の首部に掛ける取付部と前記タグを取り付けるシート状の平面部とを備えていること、
を特徴とするタグ装置。
【請求項１１】
請求項７に記載のタグ装置に於いて、
前記固定部材は、前記消火器の蓋の下部にある前記消火器本体の首部に取り付ける弾性体のバンドであること、
を特徴とするタグ装置。
【請求項１２】
請求項７に記載のタグ装置に於いて、
前記固定部材は、前記消火器に取り付ける剛性体の取付部と、手で握ることができる剛性体のハンドル部と、前記タグを取り付けるタグ取付部とを備えたこと、
を特徴とするタグ装置。
【発明の詳細な説明】
【技術分野】
【０００１】
本発明は、無線式のタグにより消火器の設置を検出するトンネル消火器装置及びタグ装置に関する。
【背景技術】
【０００２】
従来、高速道路や自動車専用道路などのトンネルに設置されるトンネル消火栓装置は、開放自在な消火栓扉を備えた筐体内に、消火栓に装着したノズル付きホースとバルブ類を収納し、更に、消火器のみを収納したトンネル消火器装置を一体化して、開閉自在な消火器扉を備えた消火器収納部を備え、消火器収納部には例えば２本の消火器を収納している。簡易な消火設備として、トンネル消火器装置のみとして消火器を収納した装置もあるが、多くは消火栓と消火器を備えたトンネル消火栓装置が設置されている。
【０００３】
トンネル消火栓装置は、トンネル内の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。また、消火栓扉の横に配置されている消火器扉を開き、中に収納されている消火器を取り出して消火薬剤を放出することができる。
【０００４】
このようなトンネル消火栓装置にあっては、例えばトンネル施工が完了した段階、あるいは定期的点検で、例えば５０メートル間隔で設置されているトンネル消火栓装置に正しく消火器が収納されていることを確認する作業を行う必要がある。従来は、担当者が一台ずつ消火器扉を開けて、消火器が収納されていることを確認する作業を行っていたが、数キロを越えるような長いトンネルの場合には、消火器数が多く、確認に手間と時間がかかっていた。
【０００５】
このために、消火器扉に設けた視認可能な透光板を介して外部から入射した光を反射する反射部材、例えば再帰的反射を行う反射部材を消火器扉の透光板を介して見える位置に設けたことにより、例えば点検車両からトンネル壁面に向けてライトからの光を当てながら走行することにより、トンネル消火器装置を通過する際のライトからの光の反射光の有無によって消火器が収納されているか否かの判断を行う方法が開示されている（例えば特許文献１等参照）。
【０００６】
さらに、特許文献１では消火器にＩＤタグを取り付けた実施形態も提案されている。消火器扉の透光板から見える位置に収納した消火器には、ＲＦＩＤタグが取り付けられ、例えばトンネル消火栓装置を識別するためのＩＤコードなども予め記憶しておき、車両にＲＦＩＤタグの読み取り装置を搭載して走行し、ＩＤタグからの信号を読み取っている。
【先行技術文献】
【特許文献】
【０００７】
【特許文献１】特開２００９−２７９２９４号文献
【発明の概要】
【発明が解決しようとする課題】
【０００８】
しかしながら、このような従来の消火器収納を確認するために消火器に設けているＩＤタグは数十メートルから１００メートル程度の強い電波を送信できるアクティブ型のＩＤタグ（アクティブタグ）を使用することが考えられるが、電池を内蔵すること及び回路が複雑化するため装置が大型化することとなり、どのように取り付けるかが問題となる。
【０００９】
またトンネル内で使用している間に腐食性の排気ガスや埃などの付着による劣化が想定され、さらに、消火器は金属であるために、直接接触させての取り付けは電波の反射波の影響を受ける可能性があり、信頼性の観点からも考慮しなければならない。
【００１０】
さらに、消火器は、消火薬剤の使用期限が近づいた場合や、火災などで使用した場合は、新たな消火器と交換する必要がある。
【００１１】
従って、トンネル内に設置するＩＤタグを排気ガスや誇りから保護し、電波の送受信におけるノイズの影響を抑えなければならない。また、ＩＤタグ自身は長期の寿命を持つため、消火器が交換されても新しい消火器に簡単に取り付けることができるようにする必要がある。
【００１２】
本発明は、ＩＤタグの消火器に対する取り付けが簡単で、腐食性の高い排気ガスや埃などに対する耐久性を確保し、更に、良好な電波特性を確保可能なトンネル消火器装置及びタグ装置を提供することを目的とする。
【課題を解決するための手段】
【００１３】
（トンネル消火器装置）
本発明は上記目的を達成すべく、トンネル消火器装置を提供する。
【００１４】
消火器を収納した筐体前面に消火器扉を備えたトンネル消火器装置に於いて、消火器に設けられた電磁波を通過させる電磁波通過窓と、消火器に識別情報を記憶したタグをタグカバー内に収納した状態で固定部材により電磁波通過窓付近の位置に着脱自在に取り付けたタグ装置とを設けたことを特徴とする。
【００１５】
固定部材は、タグカバーの上部と下部に設けた紐状の弾性体タグバンドであり、タグバンドを、消火器に回して前記タグを固定する。
【００１６】
また、タグカバーと固定部材は熱収縮フィルムとして、熱により熱収縮フィルムを収縮させることにより、タグのカバーとタグを消火器への取り付けてもよい。
【００１７】
固定部材は、消火器の蓋の下部にある消火器本体の首部に掛ける取付部と、タグを取り付けるシート状の平面部とを備えている固定部材とすること、消火器の蓋の下部にある消火器本体の首部に取り付ける弾性体のバンドとしてもよい。
【００１８】
さらに、固定部材は、消火器に取り付ける剛性体の取付部と、手で握ることができる剛性体のハンドル部と、タグを取り付けるタグ取付部とを備えて、消火器の取手を兼用させることもできる。
【００１９】
（タグ装置）
本発明は上記目的を達成すべく、タグ装置を提供する。
【００２０】
筐体前面に電磁波通過窓を有する消火器扉を備えた消火器装置に収納される消火器に設けるタグ装置に於いて、消火器の識別情報を記憶したタグと、タグを埋込状態で収納するタグカバーと、タグカバーに収納されたタグを、電磁波通過窓付近の位置に着脱自在に取り付ける固定部材とを備えたことを特徴とする。
【００２１】
固定部材は、タグカバーの上部と下部に設けた紐状の弾性体タグバンドであり、タグバンドを、消火器に回して前記タグを固定する。
【００２２】
また、タグカバーと固定部材は熱収縮フィルムとして、熱により熱収縮フィルムを収縮させることにより、タグのカバーとタグを消火器への取り付けてもよい。
【００２３】
固定部材は、消火器の蓋の下部にある消火器本体の首部に掛ける取付部と、タグを取り付けるシート状の平面部とを備えている固定部材とすること、消火器の蓋の下部にある消火器本体の首部に取り付ける弾性体のバンドとしてもよい。
【００２４】
さらに、固定部材は、消火器に取り付ける剛性体の取付部と、手で握ることができる剛性体のハンドル部と、タグを取り付けるタグ取付部とを備えて、消火器の取手を兼用させることもできる。
【発明の効果】
【００２５】
本発明によれば、消火器に識別情報を記憶したタグをタグカバー内に収納した状態で固定部材により電磁波通過窓付近に着脱自在にタグ装置を取り付けたため、消火器に対するタグの着脱が簡単かつ容易にでき、同時に、トンネル内で使用している間に腐食性の排気ガスや埃などから確実にタグを保護することができ、耐久性と信頼性を確保することができる。
【００２６】
また、消火器は金属であるために、タグにおける電波の送受信特性に悪影響を及ぼすおそれがあるが、タグを金属製の消火器に直接接触することなく絶縁性のあるタグカバー内に収納して離しているため、消火器による電波送受信特性への影響を抑制し、タグリーダとの間で確実に情報の送受信ができる。
【００２７】
また、消火器は、消火薬剤の使用期限が近づいた場合や、火災などで使用した場合は新たな消火器と交換する必要があるが、タグ装置は消火器に対し容易に着脱自在に設けられており、消火器を取り替える場合に古い消火器からタグ装置を外して新しい消火器に簡単につけかえることができ、消火器を交換する際に別途タグ装置を準備する必要がなく、タグ装置の運用管理が容易でコストも低減できる。
【図面の簡単な説明】
【００２８】
【図１】本発明によるタグ装置を取り付けた消火器を設置するトンネル消火栓装置の実施形態を示した説明図
【図２】図１で示したトンネル消火栓装置の消火器扉を開けた説明図
【図３】消火器に取り付けるアクティブタグと、アクティブタグからの信号を読み取るアクティブタグリーダ／ライタ
【図４】アクティブタグの機能ブロック図
【図５】消火器に取り付けるタグ取付装置のタグバンドを用いた実施形態を示した説明図
【図６】図４のタグ取付装置を消火器に取り付けた状態を示した説明図
【図７】消火器に取り付けるタグ取付装置の熱収縮シートを用いた実施形態を示した説明図
【図８】図７のタグ取付装置を消火器に取り付けた状態を示した説明図
【図９】消火器に取り付けるタグ取付装置のプレートを用いた実施形態を示した説明図
【図１０】図９のタグ取付装置を消火器に取り付けた状態を示した説明図
【図１１】消火器に取り付けるタグ取付装置のタグバンドを用いた他の実施形態を示した説明図
【図１２】図１１のタグ取付装置を消火器に取り付けた状態を示した説明図
【図１３】消火器に取り付けるタグ取付装置に取付金具と剛体のハンドルを備えて消火器の取手と兼用した実施形態を示した説明図
【図１４】図１３のタグ取付装置を消火器に取り付けた状態を示した説明図
【図１５】本発明によるタグ取付装置を取り付けた消火器が、電磁波通過窓から見えない場合のトンネル消火栓装置を示した説明図
【図１６】本発明によるタグ装置を取り付けた消火器を設置したトンネル消火栓装置での消火器の点検方法を示した説明図
【図１７】トンネル消火器装置を対象とした本発明の他の実施形態を示した説明図
【発明を実施するための形態】
【００２９】
図１は本発明によるタグ装置を備えた消火器を収納した消火器装置の実施形態として、トンネル消火栓装置を例にとって示した説明図である。図１において、トンネル消火栓装置１０は前方に開いた箱型の筐体１２を架台１４上に設置し、筐体１２の前面右側には、下側をヒンジに前方に倒れるように開閉自在な消火栓扉１６が設けられている。消火栓扉１６は扉ハンドル１８を有し、扉ハンドル１８を手前に引くと、その自重により前方に倒れるように開く。消火栓扉１６の内部には、ノズル付ホースが収納されている。
【００３０】
消火栓扉１６の左側には操作表示部２０が設けられ、操作表示部２０には赤色表示灯２２、手動発信機２４及び応答ランプ２６が設けられている。トンネル内での火災事故の際には、手動発信機２４のボタン操作により監視室などに異常通報ができ、火災通報が行われると応答ランプ２６が点灯する。
【００３１】
操作表示部２０の左側には消火器扉２８が左側をヒンジに開閉自在に設けられている。消火器扉２８は右側に扉ハンドル３５を有し、この実施形態にあっては、 扉面の下側ほぼ半分に形成した開口部に電磁波通過窓３０を配置し、消火器扉２８の内部、即ち筐体１２に収納されたタグ装置５０のタグと外部の通信機器とが、電波による信号の送受信ができるようにしている。
【００３２】
電磁波通過窓３０としてガラス板を使用した場合には、トンネル内の車両走行に伴う落下物などの衝突による破損・飛散を防ぐため、ガラス板の内側に飛散防止用の透明シートを貼っている。電磁波通過窓３０としては、消火器扉２８を開放することなく、電波による通信を良好に行え、かつ外部から消火器６０が目視できることにより、消火器６０の存在を点検者及び火災時の一般操作者が認識できるようにしている。
【００３３】
消火器扉２８の内側の消火器収納部には所定の薬剤重量を持った消火器６０が２本収納されており、本実施形態にあっては消火器６０に、タグ装置５０を装着しており、消火器扉２８に電磁波通過窓３０を設けていることから、電磁波通過窓３０を介してタグ装置５０内部に収納しているタグと信号の送受信ができる。
【００３４】
図２は図１の消火器扉２８を開いた状態を示した説明図である。図２において、トンネル消火栓装置１０に設けている消火器扉２８を開くと、内部に消火器収納部３６が形成されており、ここに２本の消火器６０を収納している。消火器６０には、消火器本体の上下に掛け回した支持部材によりタグ装置５０が装着され、固定されている。タグ装置内には電磁波通過窓３０に向けてタグが収納されている。
【００３５】
図３は、本発明に使用するタグ４０とタグリーダ４２を示した説明図である。図３（Ａ）は、電池を内蔵してタグリーダ４２からの呼び出しに対し電波を発することができるアクティブ型のタグ４０の外観を示し、図３（Ｂ）は、タグリーダ４２の外観を示している。本実施形態のタグ４０及びタグリーダ４２は、日本国内の場合には、例えば９００ＭＨｚ帯の移動体識別用の特定小電力無線局の標準規格として知られたＳＴＤ−９０（小電力移動体識別用無線局の無線設備標準規格）に準拠した構成を備え、見通し通信距離は約１００メートルである。
【００３６】
図４は、タグ４０の機能ブロック図を示している。図４において、内蔵電池による電源４３により電力供給が行われ、ＣＰＵ（Ｃｅｎｔｒａｌ  Ｐｒｏｃｅｓｓｉｎｇ  Ｕｎｉｔ）４４により、メモリ４５に記憶されている識別情報を、変調回路４６、送受信回路４８を介してアンテナ４９から送信する動作を制御する。また、タグリーダ４２からの信号は、アンテナ４９で受信して、送受信回路４８、復調回路４７を介してＣＰＵ４４により制御され、メモリ４５への書き込みを可能である。
【００３７】
図５は、弾性体のバンドで消火器本体に装着するタグ装置５０の実施形態である。図５（Ａ）はタグ装置５０の正面図を、図５（Ｂ）はタグ装置５０の側面図を示している。タグ装置５０は、タグ４０を収納するタグカバー５２と、タグバンド５４を円環状にしてタグカバー５２の上下両端に固定している。タグカバー５２及びタグバンド５４は、例えばエチレン・プロピレン・ジエンゴム（ＥＰＤＭ）等のゴム系材料を使用する。タグ４０は、汚れや腐食性の高い排気ガス等の環境から保護して長期間使用できる様に、タグカバー５２に密閉されている。タグカバー５２は、ゴム系材料等の電磁波を通過させる材料であればよいが、消火器は金属製のため、絶縁性の材料であることが望ましい。タグバンド５４はタグ４０を消火器６０に取り付けるため変形可能な材料として、弾性変形可能な材料が望ましい。
【００３８】
図６は、タグ装置５０を消火器６０に装着した場合の説明図である。図６（Ａ）は正面図を、図６（Ｂ）は側面図を示している。図６において、消火器６０は、消火剤が密封された充填されている消火器本体６２と、消火器本体６２の蓋６４と、消火器本体６２内の消火剤を蓋６４の内部通路を通して噴出させるホース６６及びノズル６８、消火剤を密封状態から開封操作を行うレバー７０と安全栓７２から成っている。
【００３９】
この消火器６０の消火器本体６２の上部首部と胴体部に、タグ装置５０にある２本のタグバンド５４を掛け回し、タグカバー５２に収納されたアクティブタグ４０を装着する。タグ装置５０を装着する場合には、消火器６０のホース６６のノズル６８側をノズルホルダからはずして、２本のタグバンド５４をホース６６とレバー７０に通してから、消火器本体６２に装着する。そして、消火器６０は、図１に示したように、アクティブタグ４０をトンネル消火栓装置１０の電磁波透過窓３０に対向させる方向にして、消火器収納部３６に設置される。タグ装置５０を消火器６０に取り付けた時にタグカバー５２によりアクティブタグ４０が金属製の消火器本体に接触することがないため、アクティブタグ４０の電波の伝搬効率に悪影響をおよぼすことがない。
【００４０】
図７は、熱収縮シートを使用したタグ装置７６の実施形態である。図７（Ａ）は、タグ装置７６の正面図を、図７（Ｂ）はタグ装置７６の側面図を示している。円筒状のタグシート７８は、消火器本体６２の胴体部を囲む大きさであり、一部にアクティブタグ４０が配置され、タグシートで覆われている。
【００４１】
図８は、熱収縮シートを使用したタグ装置７６を消火器６０に装着した説明図である。図８（Ａ）は消火器６０の正面図、図８（Ｂ）は消火器６０の側面図である。図７において、タグ装置７６は、円筒状のタグシート７８を消火器本体６２に通して加熱する。熱により収縮したタグシート７８により、タグ４０を消火器本体６２に固定することができる。熱収縮シートは、ポリオレフィンやポリフッ化ビニリデン等の材料が使用できる。また、熱収縮シートは、文字や図形を印刷することができるので、消火器６０のラベル機能を兼ねさせてもよい。例えば消火器の絵を目立つ色で記載しておいても良い。
【００４２】
なお、消火器側面に配置するタグシート７８はタグ４０の高さに合わせる必要は無く、タグ４０の高さよりも短い、帯やひも状であっても良い。
【００４３】
図９は、タグプレートを使用したタグ装置８０の実施形態である。図９（Ａ）は、タグ装置８０の正面図を、図９（Ｂ）はタグ装置８０の側面図を示している。タグプレート８４は、上部に取付穴８６を備え、タグ４０が収納されたタグカバー８２を平面部に固定している。取付穴８６は、消火器本体６２の上部首部に掛けて簡単に消火器６０に装着できる様にしている。タグプレート８０の材料は、ＥＰＤＭ等のゴム系材用を使用する。また、タグカバー８２をＥＰＤＭ等のゴム系材として、タグプレート８４を金属やプラスチック等の材料としてもよい。
【００４４】
図１０は、タグプレートを使用したタグ装置８０を消火器６０に装着した説明図である。図１０（Ａ）は消火器６０の正面図、図１０（Ｂ）は消火器６０の側面図である。図１０において、タグ装置８０は、上部の取付穴８６を、消火器６０のホース６６をはずして、ホース６６とレバー７０に通して、消火器本体６２の上部首部に掛け消火器６０に装着する。
【００４５】
なお、タグカバー８２付近のタグプレート８４の裏面にマグネットを備え、タグ装置８０が金属製の消火器に磁気的に接触固定することで、タグプレート８４が回転したり振動することを防ぐようにしても良い。
【００４６】
図１１は、タグバンド９４を１本としたタグ装置９０の実施形態である。図１１（Ａ）は、タグ装置９０の正面図を、図１１（Ｂ）はタグ装置９０の側面図を示している。タグ４０は横向きにしてタグカバー９２に収納し、タグバンド９４を消火器本体６２の上部首部に掛け回してタグ装置９０を消火器６０に装着する。タグカバー９２とタグバンド９４は、タグ装置５０と同じゴム系の材料を使用することができる。
【００４７】
図１２は、タグバンド９４を１本としたタグ装置９０を消火器６０に装着した説明図である。図１２（Ａ）は消火器６０の正面図、図１２（Ｂ）は消火器６０の側面図である。図１２において、タグ装置９０は、タグバンド９４を、消火器６０のホース６６をはずして、ホース６６とレバー７０に通して、消火器本体６２の上部首部に掛け消火器６０に装着する。タグバンド９４の内径は、取り付ける消火器の上部首部の外周径よりも小さくして、弾性材のタグバンド９４を延ばして消火器に取り付けることにより、回転することなく、確実に消火器に固定することができる。
【００４８】
図１３は、消火器用の取手を兼用させたタグ装置１００の実施形態である。図１３（Ａ）は、タグ装置１００の正面図を、図１３（Ｂ）はタグ装置１００の側面図を示している。タグ４０はタグカバー１０２に収納され、タグ取付部１０４に固定される。タグ取付部１０４に続いてあり、ハンドル１０６があり、ハンドル１０６の上部には取付金具１０８がある。
【００４９】
取付金具１０８は、消火器６０の蓋６４に固定するために２つの部分に分かれており、ネジ穴１１０により、ネジ１１２で締めて蓋６４に強固に固定する。ハンドル１０６は剛体材料を使用し、取付金具と一体となって、消火器６０をハンドリングできる様にしている。タグカバー１０２はゴム系の材料であり、タグ取付部１０４に固定されている。ハンドル１０６及び取付金具１０８は、ダイカスト等の金属を成型して製作する。
【００５０】
図１４は、消火器用の取手を兼用させたタグ装置１００を消火器６０に装着した説明図である。図１４（Ａ）は消火器６０の正面図、図１４（Ｂ）は消火器６０の側面図である。図１４において、タグ装置１００は、分割した取付金具１０８を蓋６４の前後から挟み、ネジ穴１１０にネジ１１２を入れて締める。消火器６０とは剛体の取付金具１０８とハンドル１０６により一体となって固定されているので、ハンドル１０６を持って消火器６０を持ち運んだり、移動したりすることができる。消火器を認識しやすいように、ハンドル１０６の表面に消火器を示す文字や図形を記入しても良い。タグ４０はハンドル１０６の裏面に備えても良い。
【００５１】
以上、本発明によるタグ装置の形態を説明したが、タグ４０をトンネル消火栓装置１０の電磁波通過窓３０に対向する位置に消火器６０を設置しておけば、電磁波通過窓３０を介してタグリーダ４２との通信が可能である。また、電波により通信するために、電磁波通過窓３０が汚れていたり、泥により覆われていたりしても機能的な影響は無い。
【００５２】
図１５は、トンネル消火栓装置１０の電磁波通過窓３０が、汚れで透明性を失った場合の図である。このような場合であっても何ら影響されること無く消火器の点検作業が可能である。
【００５３】
図１６は、点検車両で走行しながらトンネル消火栓装置１０の消火器６０を点検する点検作業を示した説明図である。図１６は自動車専用道路などのトンネルの平面断面図であり、トンネル側壁１２０に沿って設けている監視員通路１２６の部分に５０ｍ間隔で図１に示した本実施形態のトンネル消火栓装置１０が設置されている。
【００５４】
トンネル消火栓装置１０に収納している消火器の点検作業は、点検車両１２８に点検員が乗車し、タグリーダ４２からの電波１２４を発する。車両１２８の速度は、例えばトンネル内の法定最高速度である時速８０ｋｍで走行しながら点検する。タグ４０には消火器ＩＤ、設置する消火栓ＩＤ、消火器の点検時期、点検履歴、使用期限などを記録することができる。点検車両１２８を時速８０ｋｍで走行しながら、トンネル消火栓装置１０の消火器の有無を点検した場合、タグ４０とタグリーダの通信距離は半径２０メートルとしても、直径で４０メートルであり、走行車両の通過時間は１．８秒であり、タグ４０からの信号送信間隔を１秒としても十分に点検可能である。従って、トンネル長が数キロといった長いトンネルであったとしても、例えば８０ｋｍという速度で走行しながら消火器の有無の点検ができるため、ごく短時間でトンネル消火栓装置に正常に消火器が収納されているか否かの点検作業を行うことができる。
【００５５】
図１７は、トンネル内に消火器のみ単独で設置される本発明の実施形態であるトンネル消火器装置１３０を対象としている。
【００５６】
即ち、図１に示した消火器収納部を一体に備えたトンネル消火栓装置１０は通行量が多いトンネルに設置されるものであるが、通行量が少ないトンネルや通行量が多くとも距離の短いトンネルについては、図１７のようなトンネル消火器装置（消火器ボックス）１３０が設置される。
【００５７】
このようなトンネル消火器装置１３０についても、例えば図１の実施形態と同様、消火器扉２８は右側に扉ハンドル３５を有し、扉面のほぼ全面に形成した開口部に電磁波通過窓３０を配置している。消火器扉２８の内部には所定の薬剤重量を持った消火器６０が２本収納されている。消火器６０には、タグ装置９０を装着しているが、他の実施形態のタグ装置であってもよい。
【００５８】
なお、上記の実施形態にあっては、消火器扉２８のほぼ全面に設けた開口部に電磁波通過窓３０を設けているが、消火器６０に装着されているタグ装置のタグ４０との通信が可能であれば、適宜の形状とサイズとしてもよいことはもちろんである。
【００５９】
また、上記の実施形態は電池を内蔵したアクティブ型のタグを例にとるものであったが、通信距離が充分に確保可能であれば、電池を内蔵せず、タグリーダからの呼出電波から電源を生成して応答するパッシブ型のタグを使用しても良い。
【００６０】
また、本発明は、その目的と利点を損なうことのない適宜の変形を含み、更に、上記の実施形態に示した数値による限定は受けない。
【符号の説明】
【００６１】
１０：トンネル消火栓装置
１２：筐体
２８：消火器扉
３０：電磁波通過窓
３５：扉ハンドル
３６：消火器収納部
４０：タグ
４２：タグリーダ
５０、７６、８０、９０，１００：タグ装置
５２、８２、９２、１０２：タグカバー
５４、９４：タグバンド
６０：消火器
６２：消火器本体
６４：蓋
７８：タグシート
８４：タグプレート
８６：取付穴
１０４：タグ取付部
１０６：ハンドル
１０８：取付金具
１３０：トンネル消火器装置
【図１】
2011224034.tif 000003
【図２】
2011224034.tif 000004
【図３】
2011224034.tif 000005
【図４】
2011224034.tif 000006
【図５】
2011224034.tif 000007
【図６】
2011224034.tif 000008
【図７】
2011224034.tif 000009
【図８】
2011224034.tif 000010
【図９】
2011224034.tif 000011
【図１０】
2011224034.tif 000012
【図１１】
2011224034.tif 000013
【図１２】
2011224034.tif 000014
【図１３】
2011224034.tif 000015
【図１４】
2011224034.tif 000016
【図１５】
2011224034.tif 000017
【図１６】
2011224034.tif 000018
【図１７】
2011224034.tif 000019